(57)【要約】【課題】  多様な照明光を演出することでき、且つ、構造を簡素化しうる照明装置を提供すること。【解決手段】  照明装置１は、光源２を搭載した灯具3,4,5を複数個備える。複数個の灯具3,4,5は、複数の発光パターンによる発光が切替可能である。複数個の灯具3,4,5のうち、一個の灯具３に、複数個の灯具3,4,5による発光パターンを統括的に制御する発光パターン統括制御部13が搭載されている。そして、発光パターン統括制御部13からの出力制御信号に従って複数個の灯具3,4,5が所定の発光パターンで発光するものとなされている。【選択図】      図２
2006024533.tif 000002
【特許請求の範囲】
【請求項１】
光源を搭載した灯具を複数個備え、
前記複数個の灯具は、それぞれ、複数の発光パターンによる発光が切替可能とされ、
前記複数個の灯具のうち、一個の灯具は、前記複数個の灯具における発光パターンを統括的に制御する発光パターン統括制御部が搭載された親灯具とされ、
前記複数個の灯具は、前記発光パターン統括制御部からの出力制御信号に従って所定の発光パターンで発光するものとなされていることを特徴とする照明装置。
【請求項２】
前記発光パターン統括制御部は、前記親灯具への給電用電源のオン・オフ切替に基づき、前記複数個の灯具における発光パターンを統括的に制御し得るものとなされている請求項１記載の照明装置。
【請求項３】
前記親灯具への給電用電源のオン・オフ切替がプルレススイッチにより行われるものとなされている請求項２記載の照明装置。
【請求項４】
前記複数個の灯具は、ぞれぞれ、各灯具への給電用電源が投入された際、前記複数の発光パターンの２以上による発光が順次切り替えられていく確認用発光パターンによる発光を実行する確認用発光パターン制御部を備えている請求項１〜３のいずれか１項記載の照明装置。
【請求項５】
前記親灯具に、該親灯具への給電用電源を遮断したときの親灯具の発光パターンを記憶する記憶部が搭載されており、
前記複数個の灯具は、前記電源の投入時には、前記記憶部に記憶された発光パターンで発光するものとなされている請求項１〜４のいずれか１項記載の照明装置。
【請求項６】
前記各灯具に搭載された光源は、赤色ＬＥＤと緑色ＬＥＤと青色ＬＥＤとの集合光源である請求項１〜５のいずれか１項記載の照明装置。
【発明の詳細な説明】
【技術分野】
【０００１】
この発明は、例えば、屋内や屋外において地中埋込灯、壁埋込灯、足元灯等として好適に用いられる照明装置に関する。
【背景技術】
【０００２】
一般家庭や商店で用いられる照明装置は、様々な種類があり、例えば、光源としてＬＥＤ光源を搭載した灯具によって照明を調光できるように構成されたものが知られている（例えば特許文献１参照。）。
【特許文献１】特開２００１−１８５３７１号公報（請求項１）
【発明の開示】
【発明が解決しようとする課題】
【０００３】
ところで、光源を搭載した灯具を複数個備えるとともに、これら灯具が相互に関連する発光パターンで発光するものとなされた照明装置は、従来の照明装置よりも多様な照明光を演出することができる。そのため、この照明装置は、例えば、屋内や屋外において地中埋込灯、壁埋込灯、足元灯等として好適な照明装置として期待されている。
【０００４】
しかしながら、この照明装置は、その構造が複雑であり、多数の装置や部品が別途必要であった。そのため、例えば照明装置の設置場所が限定されたり、施工が困難になるという難点があった。
【０００５】
本発明は、上述した技術背景に鑑みてなされたもので、その目的は、多様な照明光を演出することでき、且つ、構造を簡素化しうる照明装置を提供することにある。
【課題を解決するための手段】
【０００６】
上記目的を達成するため、本発明は次の手段を提供する。
【０００７】
［１］  光源を搭載した灯具を複数個備え、前記複数個の灯具は、それぞれ、複数の発光パターンによる発光が切替可能とされ、前記複数個の灯具のうち、一個の灯具は、前記複数個の灯具における発光パターンを統括的に制御する発光パターン統括制御部が搭載された親灯具とされ、前記複数個の灯具は、前記発光パターン統括制御部からの出力制御信号に従って所定の発光パターンで発光するものとなされていることを特徴とする照明装置。
【０００８】
［２］  前記発光パターン統括制御部は、前記親灯具への給電用電源のオン・オフ切替に基づき、前記複数個の灯具における発光パターンを統括的に制御し得るものとなされている前項１記載の照明装置。
【０００９】
［３］  前記親灯具への給電用電源のオン・オフ切替がプルレススイッチにより行われるものとなされている前項２記載の照明装置。
【００１０】
［４］  前記複数個の灯具は、それぞれ、各灯具への給電用電源が投入された際、前記複数の発光パターンの２以上による発光が順次切り替えられていく確認用発光パターンによる発光を実行する確認用発光パターン制御部を備えている前項１〜３のいずれか１項記載の照明装置。
【００１１】
［５］  前記親灯具に、該親灯具への給電用電源を遮断したときの親灯具の発光パターンを記憶する記憶部が搭載されており、前記複数個の灯具は、前記電源の投入時には、前記記憶部に記憶された発光パターンで発光するものとなされている前項１〜４のいずれか１項記載の照明装置。
【００１２】
［６］  前記各灯具に搭載された光源は、赤色ＬＥＤと緑色ＬＥＤと青色ＬＥＤとの集合光源である前項１〜５のいずれか１項記載の照明装置。
【発明の効果】
【００１３】
本発明は以下の効果を奏する。
【００１４】
本発明の照明装置は、光源を搭載した灯具を複数個備えるとともに、複数の発光パターンによる発光が切替可能とされているので、多様な照明光を演出することができる。
【００１５】
さらに、複数個の灯具のうち、一個の灯具は、発光パターン統括制御部が搭載された親灯具とされているので、照明装置の構造を簡素化することができる。そのため、例えば、照明装置を設置する際に、その設置場所に制約を受け難くなるし、その施工を容易になしうる。その結果、この照明装置は、例えば、屋内や屋外において地中埋込灯、壁埋込灯、足元灯等として好適に用いることができるものとなる。
【００１６】
また、発光パターン統括制御部は、親灯具への給電用電源のオン・オフ切替に基づき、複数個の灯具における発光パターンを統括的に制御し得るものとなされている場合には（［２］の発明）、電源のオン・オフ切替により、複数個の灯具における発光パターンもこれに連動して切り替わり得るようになるため、発光パターン切替のための専用のスイッチを必要とせず、照明装置を更に簡素な構成にすることができる。
【００１７】
また、親灯具への給電用電源のオン・オフ切替がプルレススイッチにより行われるものとなされている場合には（［３］の発明）、発光パターンの切替操作を容易に行うことができる。
【００１８】
また、複数個の灯具は、それぞれ、確認用発光パターン制御部を備えている場合には（［４］の発明）、各灯具における確認用発光パターンに基づいて各灯具の機能に欠陥が有るか否かについて容易に判断することができる。
【００１９】
また、親灯具に記憶部が搭載され、複数個の灯具は、電源の投入時には、記憶部に記憶された発光パターンで発光するものとなされている場合には（［５］の発明）、電源の投入時において、前回の電源遮断時の最終発光パターンを容易に再現することができる。
【００２０】
また、各灯具に搭載された光源は、赤色ＬＥＤと緑色ＬＥＤと青色ＬＥＤとの集合光源である場合には（［６］の発明）、赤色ＬＥＤと緑色ＬＥＤと青色ＬＥＤとを任意に混色して様々な色の光を発光させることができ、より美しい照明光で照明をすることができる。
【発明を実施するための最良の形態】
【００２１】
図１〜図３は、本発明の一実施形態に係る照明装置（１）を説明するための図である。この照明装置（１）は、図３に示すように、屋内や屋外において地中埋込灯、壁埋込灯、足元灯等として用いられるものである。なお同図において、（Ｓ）は、壁面、床面又は地面である
この照明装置（１）は、正面視略円形状の複数個の灯具（３）（４）（５）を備えている。本実施形態では、説明の便宜上、灯具の個数を３個であるとして以下に説明する。なお本発明では、灯具の個数は３個に限定されるものではなく、２個であっても良いし、４個以上であっても良いことはいうまでもない。
【００２２】
各灯具（３）（４）（５）には、光源（２）として、赤色ＬＥＤと緑色ＬＥＤと青色ＬＥＤとが集合実装されたＬＥＤ集合光源が、複数個（同図では４個）搭載されている。なお本発明では、各灯具（３）（４）（５）に搭載される光源（２）の個数は、４個に限定されるものではなく、例えば、１個であっても良いし、２個以上であっても良い。
【００２３】
また、この照明装置（１）では、３個の灯具（３）（４）（５）は、相互に密接に関連する発光パターンで発光するものである。
【００２４】
この照明装置（１）では、図２に示すように、全灯具（３）（４）（５）のうち、一個の灯具（３）にのみ、全灯具（３）（４）（５）における発光パターンを統括的に制御する発光パターン統括制御部（13）が搭載されている。そして、この発光パターン統括制御部（13）からの出力制御信号に従って全灯具（３）（４）（５）が所定の発光パターンで発光するものとなされている。
【００２５】
全灯具（３）（４）（５）は、図１に示すように、互いに共通する電源（６）により給電されるように給電線（８）に接続されている。この電源（６）は例えば交流電源である。
【００２６】
さらに、全灯具（３）（４）（５）は、各灯具（３）（４）（５）の機能に欠陥がないことを確認するための確認用発光パターンで、電源（６）を投入したときに最初に発光するものとなされている。
【００２７】
ここで説明の便宜上、３個の灯具（３）（４）（５）のうち、発光パターン統括制御部（13）を搭載した灯具（３）を「親灯具（３）」、他の２個の灯具（４）（５）をそれぞれ「第１子灯具（４）」及び「第２子灯具（５）」と呼ぶ。
【００２８】
また、図１に示すように、親灯具（３）と電源（６）とを接続した給電線（8a）には、壁スイッチ等のプルレススイッチ（７）が設けられている。また、（９）は信号線である。３個の灯具（３）（４）（５）は二本の信号線（９）（９）で直列に接続されている。
【００２９】
図２に示すように、親灯具（３）には、電源部（11）と確認用発光パターン制御部（12）と前記発光パターン統括制御部（13）と記憶部（14）と送受信部（15）と発光制御部（16）と演算部（18）が搭載されている。
【００３０】
一方、第１子灯具（４）と第２子灯具（５）とは互いに同一の構成であり、各子灯具（４）（５）には、電源部（11）と確認用発光パターン制御部（12）と送受信部（15）と演算部（18）とノイズ検知部（19）と発光制御部（16）とが搭載されている。
【００３１】
［親灯具（３）の構成］
親灯具（３）において、電源部（11）は、親灯具（３）の光源（２）、発光パターン統括制御部（13）等に給電するものであり、電源（６）から給電された交流電圧を直流電圧に変換するＡＣ−ＤＣ変換部を有している。
【００３２】
確認用発光パターン制御部（12）は、確認用発光パターンにおける親灯具（３）（即ち自己の灯具）の発光パターンで該親灯具（３）を発光させるための制御を行うものである。
【００３３】
なお、確認用発光パターンは、各灯具（３）（４）（５）の機能に欠陥がないかことを確認するための発光パターンであり、この確認用発光パターンでは、各灯具（３）（４）（５）における複数の発光パターンのうち２以上による発光が順次切り替えられていくものとされている。
【００３４】
発光パターン統括制御部（13）は、上述したように、全灯具（３）（４）（５）における発光パターンを統括的に制御するものである。更に、この発光パターン制御部（13）は、電源（６）のオン・オフ切替に基づき、全灯具（３）（４）（５）における発光パターンを統括的に制御し得るものとなされている。この電源（６）のオン・オフ切替操作はプルレススイッチ（７）により行われる。
【００３５】
記憶部（14）は、電源（６）を遮断したときの親灯具（３）の発光パターンを記憶するものであり、発光パターン統括制御部（13）に接続されている。
【００３６】
送受信部（15）は、発光パターン統括制御部（13）からの出力制御信号を子灯具（４）（５）に送信するものである。
【００３７】
演算部（18）は、発光パターン統括制御部（13）からの出力制御信号の伝達時間を補正するための演算を行うものであり、コンピュータからなる。
【００３８】
発光制御部（16）は、親灯具（３）の光源（２）の発光を制御するものである。
【００３９】
［子灯具（４）（５）の構成］
各子灯具（４）（５）において、電源部（11）は、自己の灯具（４）（５）の光源（２）等に給電するものであり、電源（６）からの交流電圧を直流電圧に変換するＡＣ−ＤＣ変換部を有している。
【００４０】
確認用発光パターン制御部（12）は、確認用発光パターンにおける自己の灯具（４）（５）の発光パターンで自己の灯具（４）（５）を発光させるための制御を行うものである。
【００４１】
送受信部（15）は、親灯具（３）の発光パターン統括制御部（13）からの出力制御信号を受信するとともに、該信号を次の子灯具（５）に送信するものである。
【００４２】
演算部（18）は、発光パターン統括制御部（13）からの出力制御信号の伝達時間を補正するための演算を行うものであり、コンピュータからなる。
【００４３】
ノイズ検知部（19）は、発光パターン統括制御部（13）からの出力制御信号からノイズを検知するものである。
【００４４】
発光制御部（16）は、子灯具（４）（５）の光源（２）の発光を制御するものである。
【００４５】
［照明装置（１）の動作］
次に、この照明装置（１）の動作を以下に説明する。
【００４６】
この照明装置（１）においては、プルレススイッチ（７）をＯＮにすることにより電源（６）が投入され、この電源（６）の電力（例えばＡＣ１００Ｖ）が各灯具（３）（４）（５）の電源部（11）（11）（11）にそれぞれ供給される。そして、各電源部（11）（11）（11）のＡＣ−ＤＣ変換部にて直流電圧（例えばＤＣ２４Ｖ又は１２Ｖ）に変換されたのち、各灯具（３）（４）（５）の光源（２）（２）（２）等に給電される。
【００４７】
こうして各灯具（３）（４）（５）に給電が開始すると、各灯具（３）（４）（５）は、最初に、確認用発光パターンで個別に発光する。この発光パターンに基づき、各灯具（３）（４）（５）の機能に欠陥がないことを確認することができる。
【００４８】
この確認用発光パターンについて具体的に例示すると次のとおりである。すなわち、確認用発光パターンとして、各灯具（３）（４）（５）において、例えば、赤色ＬＥＤ、緑色ＬＥＤ及び青色ＬＥＤがそれぞれ０．５秒ずつ順番に点灯するという発光パターンが挙げられる。このとき、もし仮に各灯具（３）（４）（５）の機能のうち例えば光源（２）に問題があった場合には、光源（２）が点灯しなかったり、点灯したとしても暗かったりするなど、確認用発光パターンに異常が出る。そこで、この異常を視覚にて検知することにより、その症状に基づき問題箇所を容易に且つ早期に発見・判断することができる。また、通信に問題があるのか各灯具（３）（４）（５）に問題があるのについても、この確認用発光パターンに基づいて容易に判別することができる。また、この照明装置（１）で継続して照明している途中で異常が出た場合には、電源（６）を一旦遮断して再投入することにより、その原因をつきとめることができる。
【００４９】
次いで、全灯具（３）（４）（５）は、親灯具（３）の発光パターン統括制御部（13）で統括的に制御されることにより、互いに関連する所定の発光パターンで発光する。
【００５０】
ここで、記憶部（14）には、前回、電源（６）を遮断したとき（即ち、全灯具（３）（４）（５）への給電を停止したとき）の、親灯具（３）の最終発光パターンが記憶されている。そして、全灯具（３）（４）（５）は、この記憶部（14）に記憶された最終発光パターンで、今回の電源（６）の投入時（即ち、全灯具（３）（４）（５）への給電を再開したとき）において確認用発光パターンによる発光の次に発光するものとなされている。
【００５１】
これを具体的に例示して以下に説明する。例えば、この照明装置（１）では、発光パターンが、「Ａパターン」、「Ｂパターン」及び「Ｃパターン」の三つのパターンであり、これらが順番に繰り返し切り替わっていく（即ち、「Ａパターン」→「Ｂパターン」→「Ｃパターン」→「Ａパターン」→…）と仮定する。そして、前回、電源（６）を遮断したときの親灯具（３）の最終発光パターンが「Ａパターン」であったとする。すると、記憶部（14）には「Ａパターン」が記憶される。そして、次に電源（６）を投入したときにおいて、各灯具（３）（４）（５）は最初に確認用発光パターンで発光する。そして、この発光の次に、全灯具（３）（４）（５）は記憶部（14）に記憶された「Ａパターン」で発光する。次いで、「Ｂパターン」→「Ｃパターン」…に順次切り替わっていく。
【００５２】
親灯具（３）の発光パターン統括制御部（13）からの出力制御信号は、親灯具（３）の送受信部（15）により第１子灯具（４）の送受信部（15）に送信され、更に、第１子灯具（４）の送受信部（15）に送信された出力制御信号は、第２子灯具（５）の送受信部（15）に送信される。さらに、親灯具（３）では、発光パターン統括制御部（13）からの出力制御信号は、演算部（18）を介して親灯具（３）の発光制御部（16）にも送信される。
【００５３】
親灯具（３）の発光制御部（16）では、送信された出力制御信号に基づいて親灯具（６）の光源（２）の発光が制御される。これにより、親灯具（３）の光源（２）が所定の発光パターンで発光する。
【００５４】
また、第１子灯具（４）において、送受信部（15）に送信された出力制御信号は、演算部（18）に送信され、この演算部（18）により出力制御信号の伝達時間が補正される。この演算部（18）を詳述すると次のとおりである。すなわち、もし仮に子灯具（４）（５）にこの演算部（18）が搭載されていない場合には、出力制御信号が親灯具（３）から子灯具（４）（５）へと伝達するのに要する時間によって、親灯具（３）と子灯具（４）（５）との間の発光タイミングに時間的なずれを生じることがある。そのようなずれが生じないように、演算部（18）は出力制御信号の伝達時間を補正するものである。
【００５５】
第１子灯具（４）では、演算部（18）により伝達時間が補正された出力制御信号は、ノイズ検知部（19）を介して発光制御部（16）に送信される。このとき、ノイズ検知部（19）により出力制御信号からノイズが検知される。そして、このノイズ検知部（19）からの出力信号は、第２子灯具（５）の発光制御部（16）に送信される。
【００５６】
第２子灯具（５）の発光制御部（16）では、この送信されたノイズ検知部（19）からの出力信号に基づいて、発光パターン統括制御部（13）からの出力制御信号に含まれるノイズの影響による不具合（例えば第２子灯具（５）の誤作動発光）について回避できるように、第２子灯具（５）の光源（２）の発光が制御される。
【００５７】
各子灯具（４）（５）の発光制御部（16）では、光源（２）の発光が制御される。これにより、各子灯具（４）（５）の光源（２）が所定の発光パターンで発光する。
【００５８】
而して、この照明装置（１）では、電源（６）のオン・オフの切替は、プルレススイッチ（７）のオン・オフ切替操作により行われる。すなわち、この照明装置（１）では、プルレススイッチ（７）をオンとオフに繰り返し短時間で切り替えることにより、発光パターン統括制御部（13）に電源（６）のオン・オフ切替信号が送信され、このオン・オフ切替信号に基づいて、全灯具（３）（４）（５）における発光パターンが、発光パターン統括制御部（13）により統合的に制御される。
【００５９】
この照明装置（１）では、プルレススイッチ（７）による電源（６）のオン・オフ切替周期が短時間（例えば５秒以下）である場合には、所定の調光を行う。
【００６０】
この調光を具体的に例示して以下に説明する。例えば、この照明装置（１）では、全灯具（３）（４）（５）における発光パターンが、青、紫、赤、黄、緑、水色、白、コロラマ調光第１パターン及びコロラマ調光第２パターンの七つの発光パターンであると仮定する。この場合には、プルレススイッチ（７）による電源（６）のオン・オフ切替操作に伴い、全灯具（３）（４）（５）における発光パターンが順番に繰り返し切り替わっていく（即ち、青→紫→赤→黄→緑→水色→白→コロラマ調光第１パターン→コロラマ調光第２パターン→青→…）。このように調光が発光パターン統括制御部（13）に予め設定されて該発光パターン統括制御部（13）により制御される。
【００６１】
一方、電源（６）をプレレススイッチ（７）によりオフにし、このオフ状態が長時間（例えば１分以上）継続して維持された場合には、電源（６）による全灯具（３）（４）（５）への給電が停止された（即ち電源（６）が遮断された）と判断され、この電源（６）の遮断時の親灯具（３）の発光パターンが最終発光パターンとして記憶部（14）に記憶されることとなる。
【００６２】
而して、本実施形態の照明装置（１）は、光源（２）を搭載した灯具（３）（４）（５）を３個備えるとともに、全灯具（３）（４）（５）は、複数の発光パターンによる発光が切替可能とされているので、多様な照明光を演出することができる。
【００６３】
さらに、全灯具（３）（４）（５）のうち、一個の灯具にのみ、即ち親灯具（３）にのみ、発光パターン統括制御部（13）が搭載されているので、照明装置（１）の構造を簡素化することができる。そのため、照明装置（１）を設置する際に、その設置場所に制約を受け難くなるし、その施工を容易になしうる。その結果、この照明装置（１）は、例えば、屋内や屋外において地中埋込灯、壁埋込灯、足元灯等として好適に用いることができるものとなる。
【００６４】
さらに、発光パターン統括制御部（13）は、電源（６）のオン・オフ切替に基づき、全灯具（３）（４）（５）における発光パターンを統括的に制御し得るものとなされているので、電源（６）のオン・オフ切替により、全灯具（３）（４）（５）における発光パターンもこれに連動して切り替わり得るようになり、そのため、発光パターン切替のための専用のスイッチを必要とせず、照明装置を更に簡素な構成にすることができる。
【００６５】
さらに、電源（６）のオン・オフ切替がプルレススイッチ（７）により行われるものとなされているので、全灯具（３）（４）（５）における発光パターンの切替操作を更に容易に行うことができる。
【００６６】
さらに、各灯具（３）（４）（５）に搭載された光源（２）は、赤色ＬＥＤと緑色ＬＥＤと青色ＬＥＤとの集合光源であるので、赤色ＬＥＤと緑色ＬＥＤと青色ＬＥＤとを任意に混色して様々な色の光を発光させることができ、より美しい照明光や照明色で照明をすることができる。
【００６７】
さらに、全灯具（３）（４）（５）は、それぞれ、確認用発光パターン制御部（12）を備えているので、各灯具（３）（４）（５）における確認用発光パターンに基づいて各灯具（３）（４）（５）の機能に欠陥が有るか否かについて容易に判断することができる。
【００６８】
さらに、この照明装置（１）では、親灯具（３）に記憶部（12）が搭載されており、全灯具（３）（４）（５）は、電源（６）の投入時には、記憶部（12）に記憶された発光パターンで発光するものとなされているので、電源（６）の投入時において、前回の電源遮断時の最終発光パターンを容易に再現することができる。
【００６９】
以上で本発明の一実施形態を説明したが、本発明は上記実施形態に示したものに限定されるものではなく、様々に設定変更可能である。
【００７０】
例えば、図４に示すように、照明装置（１）の灯具（２）は、正面視略長方形状のものであっても良いし、あるいは図示していないがペンダント型のもの（ペンダントライト）であっても良い。すなわち、本発明は灯具の形状や種類に限定されるものではない。
【００７１】
また、上記実施形態では、各灯具（３）（４）（５）の電源部（11）は、いずれも、電源（６）から給電された交流電圧を直流電圧に変換するＡＣ−ＤＣ変換部を有しているが、本発明では、親灯具（３）の電源部（11）だけがＡＣ−ＤＣ変換部を有し、このＡＣ−ＤＣ変換部で変換された直流電圧が子灯具（４）（５）の電源部（11）に給電されるものとなされていても良い。
【産業上の利用可能性】
【００７２】
本発明は、例えば、屋内や屋外において地中埋込灯、壁埋込灯、足元灯等に用いられる照明装置に利用可能である。
【図面の簡単な説明】
【００７３】
【図１】本発明の一実施形態に係る照明装置の構成図である。
【図２】同照明装置のブロック図である。
【図３】同照明装置の灯具を設置した状態で示す正面図である。
【図４】同照明装置の灯具の一変形例を示す図で、灯具を設置した状態で示す正面図である。
【符号の説明】
【００７４】
１…照明装置
２…光源
３…灯具（親灯具）
４…灯具（第１子灯具）
５…灯具（第２子灯具）
６…電源
７…プルレススイッチ
12…確認用発光パターン制御部
13…発光パターン統括制御部
14…記憶部
18…演算部
19…ノイズ検知部
【図１】
2006024533.tif 000003
【図２】
2006024533.tif 000004
【図３】
2006024533.tif 000005
【図４】
2006024533.tif 000006